(57)【要約】【課題】容易に設置でき、精度良くワークの有無を検出することができるワーク員数計算装置の提供。【解決手段】ワーク員数計算装置１は、シート２に対して、光源１１及び光検出器１２が同じ側に配置されているので、光源１１及び光検出器１２を対向配置する場合と比較して、設置スペースの確保が容易となる。また、ワーク３が光路上に無い場合や光が異物で反射した場合、第二受光部１２２では光が検出されないので、第一受光部１２１と第二受光部１２２とでは位相差が無い。一方、ワーク３が光路上に有る場合、第一受光部１２１で検出される第二の反射光と第二受光部１２２で検出される第三の反射光とでは位相差が生じる。従って、位相差が有る場合ワーク３を検出し、位相差が無い場合ワーク３を検出しないので、容易にワーク３の有無を検出できる。【選択図】図１
2011220792.tif 000002
【特許請求の範囲】
【請求項１】
シートに間隔を置いて配置された複屈折性を有する複数のワークの員数を計算するワーク員数計算装置であって、
前記シート又は前記ワークに対して光を照射する光源と、
前記シートの前記光源が配置される側に配置され、少なくとも前記シートで反射した光を検出する光検出器とを備え、
前記光検出器は、前記光源で照射された光が直接シートで反射した第一の反射光、又は、前記光源で照射された光が前記ワークを透過して前記シートで反射した第二の反射光を検出する第一受光部と、前記ワークの表面で反射した第三の反射光のみを検出する第二受光部とを備え、
これらの第一受光部と第二受光部とで検出される値の差から前記ワークの有無を検出する
ことを特徴とするワーク員数計算装置。
【請求項２】
請求項１に記載されたワーク員数計算装置において、
前記第一受光部で検出される第一の反射光又は第二の反射光と、前記第二受光部で検出される第三の反射光との位相差から前記ワークの有無を検出する
ことを特徴とするワーク員数計算装置。
【請求項３】
請求項１又は請求項２に記載されたワーク員数計算装置において、
前記シートを取り付ける取付部材と、
この取付部材を前記シートの平面内で移動する移動機構とを備える
ことを特徴とするワーク員数計算装置。
【請求項４】
請求項３に記載されたワーク員数計算装置において、
前記取付部材は、金属製の支持板と、この支持板に設けられ前記シートを固定する磁石とを備える
ことを特徴とするワーク員数計算装置。
【発明の詳細な説明】
【技術分野】
【０００１】
本発明は、シートに間隔を置いて配置された複屈折性を有する複数のワークの員数を計算するワーク員数計算装置に関する。
【背景技術】
【０００２】
従来、光ピックアップ装置や光学ローパスフィルターなどに用いられる波長板などのワークは、１枚の複屈折性を有する大きな波長板を平面格子状に複数裁断して成形される。成形された波長板は、小さく、また、透明であるので、目算で員数を計算する場合、計測する作業員の熟練度合いに左右されて正確な員数を算出できないおそれがあった。そこで、ワークの員数を簡易に算出する従来例がある（特許文献１から４まで）。
【０００３】
特許文献１から３まででは、光源及び光検出器間にワークを配置し、光源とワークとの間、並びに光検出器とワークとの間に、偏光板をそれぞれ配置する。
また、特許文献４では、シートに対してワークが配置される側に、ワークに光を照射する光源と、ワークで反射した光を検出する光検出器とを配置している。
【先行技術文献】
【特許文献】
【０００４】
【特許文献１】特開平０３−１３７５９０号公報
【特許文献２】特開平０８−２６７５５９号公報
【特許文献３】特開２００２−２９６３６０号公報
【特許文献４】特開平０６−００３６３７号公報
【発明の概要】
【発明が解決しようとする課題】
【０００５】
しかしながら、特許文献１から３までの従来例では、ワークを挟んで光源と光検出器とを対向配置した場合、シートの両側に光源と光検出器とを設置するためのスペースを確保しなければならず、容易にワーク員数計算装置を設置できないおそれがある。
また、特許文献４では、１つの光検出器でワークの有無を検出するので、異物も誤ってワークとして検出してしまうおそれがある。
【０００６】
本発明の目的は、容易に設置でき、精度良くワークの有無を検出することができるワーク員数計算装置を提供することにある。
【課題を解決するための手段】
【０００７】
［適用例１］
本適用例に係わるワーク員数計算装置は、シートに間隔を置いて配置された複屈折性を有する複数のワークの員数を計算するワーク員数計算装置であって、前記シート又は前記ワークに対して光を照射する光源と、前記シートの前記光源が配置される側に配置され、少なくとも前記シートで反射した光を検出する光検出器とを備え、前記光検出器は、前記光源で照射された光が直接シートで反射した第一の反射光、又は、前記光源で照射された光が前記ワークを透過して前記シートで反射した第二の反射光を検出する第一受光部と、前記ワークの表面で反射した第三の反射光のみを検出する第二受光部とを備え、これらの第一受光部と第二受光部とで検出される値の差から前記ワークの有無を検出することを特徴とする。
【０００８】
この構成の本適用例では、シートに対して、光源及び光検出器が同じ側に配置されているので、光源及び光検出器を対向配置する場合と比較して、装置の設置スペースの確保が容易となる。
また、本適用例では、ワークを検出しない場合、第一受光部のみがシートで反射した第一の反射光を検出し、第二受光部は光を検出しない。また、第二受光部は、異物で反射した光も検出しない。即ち、ワークを検出しない場合、第一受光部と第二受光部とで検出される受光量に差は生じない。
一方、ワークを検出する場合、第一受光部が第二の反射光を検出し、第二受光部は第三の反射光を検出する。即ち、ワークを検出する場合、第一受光部と第二受光部とで検出される受光量には差が生じる。
従って、本適用例では、受光量の差が有る場合のみワークを検出するので、ワークの有無を精度良く検出できる。
【０００９】
［適用例２］
本適用例に係わるワーク員数計算装置では、前記第一受光部で検出される第一の反射光又は第二の反射光と、前記第二受光部で検出される第三の反射光との位相差から前記ワークの有無を検出することを特徴とする。
この構成の本適用例では、ワークを検出しない場合、第二受光部は光を検出しないので、第一受光部と第二受光部とでは、位相差は生じない。
一方、ワークを検出する場合、ワークの複屈折性により、第一受光部で検出される第二の反射光と第二受光部で検出される第三の反射光とは位相差が生じる。
従って、本適用例では、位相差が有る場合、ワークを検出し、位相差が無い場合、ワークを検出しないので、ワークの有無を精度良く検出できる。
【００１０】
［適用例３］
本適用例に係わるワーク員数計算装置では、前記シートを取り付ける取付部材と、この取付部材を前記シートの平面内で移動する移動機構とを備えることを特徴とする。
この構成の本適用例では、シートの平面が、例えば、Ｘ軸と、Ｘ軸に直交するＹ軸とを含んだＸＹ平面である場合、そのＸＹ平面内で、シートごとワークを移動するので、光源や光検出器を移動させなくて済む。そのため、効率的にワークの員数を計算できる。
【００１１】
［適用例４］
本適用例に係わるワーク員数計算装置では、前記取付部材は、金属製の支持板と、この支持板に設けられ前記シートを固定する磁石とを備えることを特徴とする。
この構成の本適用例では、シートを支持板に確実に固着できるので、移動機構で取付部材を移動した場合でも、シートやワークが脱落することを防止できる。また、磁石を取り外すことで、シートを支持板から簡単に取り外すことができ、作業が容易となる。
【図面の簡単な説明】
【００１２】
【図１】本発明の実施形態にかかるワーク員数計算装置を用いてワークを検出する状態を示す概略構成図。
【図２】ワーク近傍を示す拡大図。
【図３】ワークを検出しない状態を示す概略構成図。
【発明を実施するための形態】
【００１３】
以下、本発明の実施形態にかかるワーク員数計算装置を図１から図３までに基づいて説明する。図１は、本発明の実施形態にかかるワーク員数計算装置を用いてワークを検出する状態を示す概略構成図であり、図２は、ワーク近傍を示す拡大図であり、図３は、ワークを検出しない状態を示す概略構成図である。なお、図１，３では、便宜上、ワークの大きさは実際よりも誇張して大きく記載している。
本実施形態のワーク員数計算装置１は、シート２に間隔を置いて配置された複屈折性を有する複数のワーク３の員数を計算するものである。
このワーク員数計算装置１は、光を照射する光源１１と、少なくともシート２で反射した光を検出する光検出器１２と、シート２を取り付ける取付部材１３と、取付部材１３を移動する図示しない移動機構と、移動機構及び光検出器１２などを制御する図示しない制御装置とを備える。
このワーク員数計算装置１は、後述する第一受光部１２１と第二受光部１２２とで検出される光の位相差の有無によって、ワーク３の有無を検出する。
【００１４】
シート２は、ワーク３を載置するためのものであり、図１図３で示される通り、その表面で光源１１から照射された光を反射する。シート２としては、例えば、二軸延伸ポリエステルフィルムなどが挙げられる。
ワーク３は、平面矩形状であり、シート２の面上に前後左右に互いに等間隔で配置されている。このワーク３は、１／４波長板や１／２波長板等の複屈折性を有する透光性の光学素子である。
【００１５】
光源１１は、シート２に対して、ワーク３が配列される側に配置され、シート２の上部に配置されている。この光源１１は、シート２又はワーク３に向かって光を照射する。
光検出器１２も光源１１と同様に、シート２に対して、ワーク３が配列される側に配置され、シート２の上部に配置されている。光検出器１２は、第一受光部１２１と、この第一受光部１２１に並んで配置された第二受光部１２２とを備える。
第一受光部１２１は、図３で示される通り、ワーク３が光路上に無い場合に直接シート２で反射した第一の反射光、又は、図１で示される通り、ワーク３を透過してシート２の表面で反射した第二の反射光を検出する。
一方、第二受光部１２２は、図１で示される通り、ワーク３の表面で反射した第三の反射光のみを検出する。
なお、第一受光部１２１は、第一の反射光と第二の反射光とを検出するので、第三の反射光のみを検出する第二受光部１２２よりも受光領域が大きく形成されている。
【００１６】
第一受光部１２１で検出される第二の反射光と、第二受光部１２２で検出される第三の反射光との位相差（Γ）は、下記式（数１）、（数２）で示される通りとなる。
【００１７】
Γ＝（２π／λ）×（ｄｅ−ｄｏ）×ΔＬ・・・（数１）
ΔＬ＝２ｄＬ／（ｄ２−ｎ２ｃｏｓ２α１）１／２・・・（数２）
λ：光源１１から出射した光の波長
ｄｅ：ワーク３の異常光屈折率
ｄｏ：ワーク３の常光屈折率
ｘ：ワーク３を透過する光の往路（復路）の光路長
ΔＬ＝２×ｘ：光路差
ｄ：ワーク３の屈折率
Ｌ：ワーク３の厚み
ｎ：空気の屈折率
α１：光源１１からの光の入射角
【００１８】
なお、上記式（数２）は、図２及び下記の式（数３）から式（数１１）までに示されるようにして得られる。
すなわち、スネルの法則より、
ｎ×ｓｉｎ（９０°−α１）＝ｄ×ｓｉｎθ・・・（数３）
が成立する。
ここで、ｓｉｎ（９０°−α１）＝ｃｏｓα１・・・（数４）
であるから、
ｎ×ｃｏｓα１＝ｄ×ｓｉｎθ・・・（数５）
また、
ｃｏｓθ＝Ｌ／ｘ・・・（数６）
が成立する。そして、
ｓｉｎ２θ＋ｃｏｓ２θ＝１・・・（数７）
であるから、上記式（数５）と式（数６）とを式（数７）に代入すると、
（ｎ２×ｃｏｓ２α１）／ｄ２＋Ｌ２／ｘ２＝１・・・（数８）
Ｌ２／ｘ２＝（ｄ２−ｎ２×ｃｏｓ２α１）／ｄ２・・・（数９）
ｘ２＝ｄ２Ｌ２／（ｄ２−ｎ２ｃｏｓ２α１）・・・（数１０）
ｘ＝ｄＬ／{（ｄ２−ｎ２ｃｏｓ２α１）}１／２・・・（数１１）
ΔＬ＝２ｘ＝２ｄＬ／{（ｄ２−ｎ２ｃｏｓ２α１）}１／２・・・（数２）
【００１９】
上記式（数１），式（数２）より、入射角（α１）が小さいほど、第二の反射光と、第三の光との光路差が大きくなり、位相差も大きくなるので、さらに精度良くワーク３を検出できるようになる。
よって、入射角（α１）がブリュースター角θＢ（＝約５６°）との関係において、９０°−α１＝θＢとおくと、α１＝９０°−５６°＝３４°となり、α１＝３４°とならない３４°未満とすると、光路差は大きくすることが可能となるが、透過する光と反射する光の割合が変化し透過する光の量が少なくなる、即ち第二の反射光の光量が少なくなるので、α１は３４°以上となるように、光源１１が配置されていることが好ましい。
また、出射角（α２）及び反射角（α３）は入射角（α１）と等しいので、第一受光部１２１及び第二受光部１２２も、光源１１と同様に、出射角（α２）及び反射角（α３）が３４°以上となるように配置されていることが好ましい。
【００２０】
取付部材１３は、金属製で略平板形状の支持板１３１と、この支持板１３１に載置される磁石１３２を備える。支持板１３１の上面は、シート２で覆われており、シート２を挟んで取付部材１３に磁石１３２を載置している。これにより、シート２を支持板１３１に固着している。
移動機構は、制御装置に接続され、取付部材１３を移動する。シート２の平面が、例えば、その平面内を通るＸ軸とＸ軸に略直交するＹ軸とを含むとした場合、移動機構は、そのＸＹ平面の平面方向に取付部材１３を移動する。
このように、移動機構が取付部材１３を移動することにより、各ワーク３にそれぞれ光が透過及び反射し、ワーク３の員数を計算する。
そして、制御装置は、第一受光部１２１及び第二受光部１２２で受光した光の位相をそれぞれ検出し、その位相差に基づいて、ワーク３の有無を検出する。
【００２１】
（ワーク員数計算方法）
（ワークを検出する場合）
ワーク員数計算方法としては、まず、ワーク３を載置したシート２を、磁石１３２を用いて取付部材１３に取り付ける。また、入射角（α１）、出射角（α２）及び反射角（α３）が３４°以上となるように、光源１１、第一受光部１２１及び第二受光部１２２を配置する。
そして、制御装置による制御の下、移動機構により、取付部材１３をシート２のＸＹ平面方向に移動する。また、光源１１からワーク３に向けて光を照射する。照射された光がワーク３の表面で反射した場合、その第三の反射光が第二受光部１２２で検出される。
また、光源１１から照射された光は、ワーク３を透過して、ワーク３直下のシート２の表面で反射する。そして、この第二の反射光は、再度、ワーク３を透過して、ワーク３の表面で屈折して、第一受光部１２１で検出される。
また、ワーク３の表面で反射した第三の反射光と、ワーク３を透過してシート２の表面で反射した第二の反射光とでは、上述したように光路差が生じるので、位相差も生じる。
つまり、ワーク員数計算装置１は、位相差を検出した場合、ワーク３を検出する。
【００２２】
（ワークを検出しない場合）
図３に示すように、光源１１から照射された光の光路上にワーク３が無い場合、例えば、ワーク３とワーク３との隙間では、光は直接シート２の表面で反射して、第一の反射光となり、第一受光部１２１で検出される。一方、第二受光部１２２は、光を受光しない。従って、第一の反射光のみの位相しか検出されないので、第二受光部１２２との間で位相差は検出されない。
つまり、ワーク員数計算装置１は、位相差を検出しない場合、ワーク３を検出しない。
【００２３】
以上の構成の本実施形態では、次の作用効果を奏する。
（１）ワーク員数計算装置１では、シート２に対して、光源１１及び光検出器１２が同じ側に配置されているので、光源１１及び光検出器１２を対向配置する場合と比較して、設置スペースの確保が容易となる。
また、ワーク３が光路上に無い場合や光が異物で反射した場合、第二受光部１２２では光が検出されないので、第一受光部１２１と第二受光部１２２とでは位相差がない。
一方、ワーク３が光路上に有る場合、第一受光部１２１で検出される第二の反射光と第二受光部１２２で検出される第三の反射光とでは位相差が生じる。
従って、位相差が有る場合のみワーク３を検出するので、容易にワーク３の有無を検出できる。また、位相差でワーク３の有無を検出するので、受光量の差でワーク３の有無を検出する場合よりも精度良く検出できる。
【００２４】
（２）また、入射角（α１）、出射角（α２）及び反射角（α３）が３４°未満となるように、光源１１、第一受光部１２１及び第二受光部１２２を配置するので、ワーク３を検出する場合、第一受光部１２１で検出される第二の反射光と、第二受光部１２２で検出される第三の反射光との位相差がさらに大きくなる。従って、ワーク３の有無を更に容易に検出することができる。
【００２５】
（３）シート２を取り付ける取付部材１３と、この取付部材１３をシート２のＸＹ平面内で移動する移動機構とを備えるので、シート２のＸＹ平面内で、シート２ごとワーク３を移動する。従って、光源１１や光検出器１２を移動させなくて済むので、効率的にワーク３の員数を計算できる。
【００２６】
（４）取付部材１３は、金属製の支持板１３１と磁石１３２とを用いるので、シート２を支持板１３１に確実に固着できる。従って、移動機構で取付部材１３を移動する場合でも、シート２やワーク３が脱落することを防止できる。また、磁石１３２を取り外すことで、シート２を支持板１３１から簡単に取り外すことができ、作業が容易となる。
【００２７】
なお、本発明は前記実施形態に限定されるものではなく、本発明の目的を達成できる範囲での変形、改良等は本発明に含まれるものである。
例えば、前記実施形態では、第一受光部１２１と第二受光部１２２とで検出した光の位相差により、ワーク３の有無を検出するように説明したが、第一受光部１２１と第二受光部１２２とで検出した光の受光量の差により、ワーク３の有無を検出してもよい。
その場合、ワーク３が光路上に無い場合、第二受光部１２２は光を検出しないので、第一受光部１２１と第二受光部１２２との間では、受光量の差は検出されない。
一方、ワーク３が光路上に有る場合、第一受光部１２１と第二受光部１２２とにより第二の反射光と第三の反射光とを検出するので、それら検出される受光量には差が生じる。
従って、受光量に差が有る場合のみワーク３を検出するので、容易にワーク３の有無を検出できる。
【００２８】
また、前記実施形態では、シート２にワーク３を載置する構成を説明したが、本発明では、シート２の下側にワーク３を取り付けても良い。その場合、光源１１及び光検出器１２もシート２の下側に配置することが好ましい。
また、移動機構は、取付部材１３を移動する構成を説明したが、光源１１及び光検出器１２を移動してもよい。
【産業上の利用可能性】
【００２９】
本発明は、１／４波長板や１／２波長板などの複数のワークの員数を正確に計算できるワーク員数計算装置として利用できる。
【符号の説明】
【００３０】
１…ワーク員数計算装置、２…シート、３…ワーク、１１…光源、１２…光検出器、１３…取付部材、１２１…第一受光部、１２２…第二受光部、１３１…支持板、１３２…磁石
【図１】
2011220792.tif 000003
【図２】
2011220792.tif 000004
【図３】
2011220792.tif 000005